(57)【特許請求の範囲】
【請求項１】
折板屋根の流れ方向と平行な長尺の固定部材が建物構造体の上端部に取り付けられ、この固定部材の上面に複数の取付部材が折板屋根の流れ方向に間隔を設けて取り付けられ、この取付部材の上部に折板屋根の山部が嵌合により取り付けられた折板屋根の取付構造であって、
複数の取付部材が連結部材で連結されていることを特徴とする折板屋根の取付構造。
【請求項２】
折板屋根の山部が取付部材の上部に嵌合により取り付けられ、取付部材の上部と折板屋根の山部との間に両者に密着して弾性部材が設けられていることを特徴とする折板屋根の取付構造。
【請求項３】
折板屋根の複数の山部に嵌合して固定金具が折板屋根の流れ方向に間隔を設けて複数取り付けられ、この固定金具に架け渡されて梁が取り付けられ、この梁にバルコニーフレームが取り付けられた折板屋根へのバルコニーの取付構造であって、
前記梁の下部は、折板屋根の山部より低い位置にまで延在し、かつ、折板屋根に接しない状態とされていることを特徴とする折板屋根へのバルコニーの取付構造。
【発明の詳細な説明】
【０００１】
【発明の属する技術分野】
本発明は、折板屋根の取付構造、及び折板屋根へのバルコニーの取付構造に関する。
【０００２】
【従来の技術】
従来、折板屋根の取付構造、及び折板屋根へのバルコニーの取付構造としては、使われている場所及び折板屋根、バルコニーの形状によって種々な構造のものがあるが、この中に、折板屋根の取付構造としては、実公昭５８−２０３５２号公報に記載の折板屋根の取付構造が知られ、折板屋根へのバルコニーの取付構造としては、実開昭５７−５６９０２号公報や実開昭６２−２５８０３０号公報に記載の折板屋根へのバルコニーの取付構造が知られている。
【０００３】
前者の折板屋根の取付構造の実公昭５８−２０３５２号公報に記載のものは、山部と谷部とが交互に設けられ、山部の両側に絞り部が設けられた折板屋根と、先端に弾性変形可能な掛止体を有し、建物構造体に取り付けられた取付部材とを取り付ける構造のもので、取付部材の脚部は板体からなり、掛止体は両端部にフック部が設けられ、フック部間の寸法が折板屋根の一対の絞り部間の寸法よりも大きくなされ、このフック部が弾性変形により折板屋根の山部に挿入されて絞り部に掛止されるものである。
【０００４】
このようにすることにより、取付部材の先端が弾性変形可能なものであるので、小さな力で折板屋根の山部を押圧することにより、折板屋根の山部が取付部材に被せ、容易に建物構造体に固定でき、又、取付部材の掛止体のフック部が弾性変形し、折板屋根の山部に塑性変形を生ずることがなく、折板屋根を建物構造体の取付部材に取り付けることができ、簡便なものである。
【０００５】
後者の折板屋根へのバルコニーの取付構造の実開昭５７−５６９０２号公報に記載のものは、バルコニー床板を受ける根太を挟持できるＵ字部材と、折板屋根の山部に嵌合できる固定金具と、Ｕ字部材と固定金具との締付具とからなっている取付構造であり、バルコニーフレームの大梁を支持する場所ごとに固定金具を折板屋根の山部に取り付け、根太をＵ字部材で挟持して、固定金具とＵ字部材とを締付具で締付け、根太の上部にバルコニー床板をおいて、折板屋根へのバルコニーを取り付けるものである。
【０００６】
又、実開昭６２−２５８０３０号公報に記載のものは、折板屋根の山部に嵌合できる固定金具と、バルコニーフレームの大梁に取り付ける取付板と、締付具からなり、固定金具は嵌合部材とΩ型の土台とこの土台に取り付けられた縦材とからなっている取付構造であり、バルコニーフレームの大梁を支持する場所ごとに固定金具を折板屋根の山部に取り付け、縦材と取付板とを締付具で締付け、バルコニーフレームの上にバルコニー床板をおいて、折板屋根へのバルコニーを取り付けるものである。
【０００７】
【発明が解決しようとする課題】
しかしながら、前者の実公昭５８−２０３５２号公報に記載の折板屋根の取付構造では、取付部材の脚部の板体の水平断面の長手方向が折板屋根の流れ方向に直交して、建物構造体に取り付けられている。
【０００８】
このとき、折板屋根の流れ方向に直交する方向には、取付部材の水平断面の長手方向が折板屋根の流れ方向に直交して取り付けられているので、取付部材の掛止体に折板屋根の山部を嵌合して、折板屋根の上部に設けられたバルコニー上を歩行したりすると、取付部材の折板屋根の流れ方向に直交した方向へはほとんど振れないが、折板屋根の流れ方向と同じ方向へは、水平断面の短手方向が折板屋根の流れ方向に取り付けられているので、取付部材の折板屋根の流れ方向へは振れ易く、折板屋根の上での歩行感が悪く、危険を伴うという問題があった。
【０００９】
後者の実開昭５７−５６９０２号公報や実開昭６２−２５８０３０号公報に記載の折板屋根へのバルコニーの取付構造は、いずれも、折板屋根の山部に嵌合させた固定金具同士が繋がれておらず、折板屋根の流れ方向に直交した方向で、折板屋根のバルコニーフレームの支持間隔毎に離れた場所のＵ字部材と固定金具、或いは、取付板と固定金具とでバルコニーフレームを支持しているから、バルコニーフレームの支持間隔が大きくなると折板屋根の剛性不足になり、折板屋根の上での歩行感が悪く、危険を伴うという問題があった。
又、これを解消するためには、Ｕ字部材と固定金具、或いは、取付板と固定金具とを折板屋根の流れ方向に直交した方向に数カ所設けたり、又、折板屋根の厚みを厚くして剛性のある折板屋根を使ったりせねばならず、取付に手間と工数がかかり、折板屋根がコストアップするという問題があった。
【００１０】
又、折板屋根の上にバルコニーを設置する場合、バルコニーの割り付けによっては、固定金具を取付部材のない部分に固定することがあり、この部分では、折板屋根を支持するだけの剛性が不足しているため、折板屋根の上で歩行したりすると、歩行感が悪くなるという問題があった。
【００１１】
そこで、本発明の目的は、上記問題に着目してなされたもので、取付が簡単で、取付部材の振れが無く、折板屋根の上での歩行感が良い折板屋根の取付構造と、バルコニー取付に十分耐えうる折板屋根で、コストアップしない折板屋根の取付構造、及び折板屋根へのバルコニーの取付構造を提供するものである。
【００１２】
【課題を解決するための手段】
本発明は上記の目的を達成するためになされたもので、請求項１記載の折板屋根の取付構造は、折板屋根の流れ方向と平行な長尺の固定部材が建物構造体の上端部に取り付けられ、この固定部材の上面に複数の取付部材が折板屋根の流れ方向に間隔を設けて取り付けられ、この取付部材の上部に折板屋根の山部が嵌合により取り付けられた折板屋根の取付構造であって、複数の取付部材が連結部材で連結されているものである。
【００１３】
請求項２記載の折板屋根の取付構造は、折板屋根の山部が取付部材の上部に嵌合により取り付けられ、取付部材の上部と折板屋根の山部との間に両者に密着して弾性部材が設けられているものである。
【００１４】
請求項３記載の折板屋根へのバルコニーの取付構造は、折板屋根の複数の山部に嵌合して固定金具が折板屋根の流れ方向に間隔を設けて複数取り付けられ、この固定金具に架け渡されて梁が取り付けられ、この通し梁にバルコニーフレームが取り付けられた折板屋根へのバルコニーの取付構造であって、梁の下部は、折板屋根の山部より低い位置にまで延在し、かつ、折板屋根に接しない状態とされているものである。
【００１５】
請求項１記載の固定部材の材質と形状は、建物構造体の上端部に取り付け、固定部材の上面に複数の取付部材が取り付けることができ、取付部材に折板屋根の山部が嵌合させて耐えうることができれば、適宜な材質と形状でよく、例えば、材質については折板屋根を支持できる剛性を持った鋼材で、形状については下方に開口した断面コ字形の水平方向に長尺体で、両端部に１個づつの取付部材の取付部を持ち、開口の幅は建物構造体に嵌合させて係止できるようにしておくと、取付が簡単であるので、好ましい。
【００１６】
請求項１記載の取付部材の材質と形状は、固定部材の上面に複数の取付部材を取り付けることができ、取付部材の上端部に折板屋根の山部を嵌合させて耐えうることができれば、適宜な材質と形状でよく、例えば、材質については折板屋根を支持できる剛性を持った鋼材で、形状については縦材と横材とからなる断面逆Ｌ字形体で、縦材の下端部を固定部材の両端部の上面に取り付けることができ、横材は長さは折板屋根の山部を嵌合させて係止できるようにしておくと、取付が簡単であるので、好ましい。
【００１７】
請求項１記載の連結部材の材質と形状は、複数の取付部材を連結させ、取付部材をの振れをしっかりと止めることができれば、適宜な材質と形状でよく、例えば、材質については複数の取付部材を連結させ、取付部材をの振れをしっかりと止めることができる剛性を持った鋼材で、形状については板状、棒状の長尺体で、取付部材の側面同士に上記長尺体を溶接して複数の取付部材を連結したり、取付部材同士相対する面にほぼ水平に長尺体を溶接して複数の取付部材を連結したり、取付部材同士相対する面の上端部と下端部に斜めに長尺体を溶接して複数の取付部材を連結すると、取付が簡単で、取付部材の折板屋根の流れ方向へは振れを防ぐことができるので、好ましい。
【００１８】
請求項２記載の弾性部材の材質と形状は、取付部材の上部と折板屋根の山部との間に両者に密着して取り付けることができ、弾力性を有するものであれば、適宜な材質と形状でよく、例えば、材質については、合成樹脂の発泡体、ゴム等でよく、形状は取付部材の横材の上面に取り付けるようにすると、簡単であるので、好ましい。
【００１９】
請求項３記載の固定金具の材質と形状は、折板屋根の複数の山部の間隔を設けて取り付け、梁を取り付けることができれば、適宜な材質と形状とでよく、例えば、材質については折板屋根を支持できる剛性を持った鋼材で、形状については縦材を横材のほぼ中央部の内側側壁面に横材とほぼ直交に溶接して取り付け、縦材のほぼ中央部に２個の取付孔を設け、この縦材の内側面を梁の一方の端面に当接して固定具で取り付け、２個の嵌合部材を横材の両端部の下面に、折板屋根の隣接する山部の間隔を設けて、取り付けると、簡単に固定金具を折板屋根の山部と梁とに取り付けることができるので、好ましい。
【００２０】
固定金具の折板屋根の山部への取付は、耐風圧等の強度確保の点から、折板屋根の流れと直交する方向では約９００ｍｍ毎に、折板屋根の流れ方向では約２４００ｍｍ毎にするとよい。
【００２１】
請求項３記載の梁の材質と形状は、折板屋根の梁の下部が、折板屋根の山部より低い位置にまで延在し、かつ、折板屋根に接しない状態とされ、かつ、固定金具に取り付けることができれば、適宜な材質と形状とでよく、例えば、材質については折板屋根を支持できる剛性を持った鋼材で、形状については梁の両端面をそれぞれの固定金具の縦材の内側面に当接させて、梁の両側面にバルコニーフレームの大梁をボルト・ナットで締め付けて取り付けるようにすると、簡単に梁を固定金具とバルコニーフレームの大梁とに取り付けることができるので、好ましい。
【００２２】
（作用）
請求項１記載の本発明では、折板屋根の流れ方向と平行な長尺の固定部材が建物構造体の上端部に取り付けられ、この固定部材の上面に複数の取付部材が折板屋根の流れ方向に間隔を設けて取り付けられ、この取付部材の上部に折板屋根の山部が嵌合により取り付けられた折板屋根の取付構造であって、複数の取付部材が連結部材で連結されているから、折板屋根の山部を取付部材の上部に嵌合して、複数の取付部材がしっかりと連結部材で連結されることにより、各取付部材が振れ難くなるので、折板屋根の上部にもうけられたバルコニー上を歩行しても、歩行感が悪くなるということはない。
【００２３】
請求項２記載の本発明では、折板屋根の山部が取付部材の上部に嵌合により取り付けられ、取付部材の上部と折板屋根の山部との間に両者に密着して弾性部材が設けられているから、折板屋根の山部が取付部材の上部に嵌合によって、折板屋根と取付部材とのがたつきをなくすことができる。
【００２４】
請求項３記載の本発明では、折板屋根の複数の山部に嵌合して固定金具が折板屋根の流れ方向に間隔を設けて複数取り付けられ、この固定金具に架け渡されて梁が取り付けられ、この梁にバルコニーフレームが取り付けられているから、固定金具を介して、折板屋根の上部にバルコニーフレームを簡単に取り付けることができる。
【００２５】
又、梁の下部は、折板屋根の山部より低い位置にまで延在し、かつ、折板屋根に接しない状態とされているから、梁の高さが大きく確保され、梁の剛性が大きい。
従って、剛性が大きい梁でしっかりとバルコニーフレームを支持することができる。
【００２６】
【発明の実施の形態】
本発明の一実施例を図１〜図３に基づいて説明する。
図１は、建物構造体の大梁と小梁とに長尺の固定部材が取り付けられ、小梁の固定部材に２個の取付部材と連結部材と弾性部材とが取り付けられている状態を示す説明図、図２は図１の要部Ｘ部の拡大説明図、図３は隣接する取付部材の上部に折板屋根の山部が嵌合され取り付けられた状態を示す説明図である。
【００２７】
図１において、固定部材１は、鋼製で、建物構造体５（長手方向約４．５ｍ×短手方向約２．５ｍ、鋼製）の上端部に取り付けられている。
固定部材１は大梁用固定部材１１（長さ約４．５ｍ）と小梁用固定部材１２（長さ約２．５ｍ）とからなり、大梁用固定部材１１は折板屋根４（後述説明）の流れ方向とほぼ直交になされた２本の大梁に、小梁用固定部材１２は折板屋根４の流れ方向と平行になされた複数本の小梁に取り付けられている。
大梁用固定部材１１は下方に開口した断面コ字形になされ、開口幅は大梁に嵌合して係止できるようになされ、小梁用固定部材１２は下方に開口した断面コ字形になされ、開口幅は小梁に嵌合して係止できるようになされている。
【００２８】
図２において、小梁用固定部材１２の上面に２個の取付部材３が折板屋根４の流れ方向に間隔（約２ｍ）を設けて上方に向けて取り付けられている。
取付部材３は、鋼製で、縦材３１と横材３２とからなる断面逆Ｌ字形体で、縦材３１の下端部が小梁用固定部材１２の上面に溶接され、ほぼ中央部には貫通孔３３が開けられている。
図３において、Ａは折板屋根の取付構造で、弾性部材３４はポリエチレン樹脂製の発泡体であり、横材３２の上面に弾性部材３４が設けられている。
【００２９】
連結部材３５は、鋼製の板状体で、小梁用固定部材１２に設けられた２個の取付部材３の下端部の側面に折板屋根４の流れ方向と平行に溶接されて、間隔を設けた２個の取付部材３を連結している。
【００３０】
４は折板屋根であり、塩ビ鋼板製のもので、山部４１（幅約１４０ｍｍ）と谷部４２（幅約３０ｍｍ）とが交互に延在され、山部４１の両側に絞り部が設けられ、山部４１と谷部４２の高さは約６５ｍｍとされている。
【００３１】
次に、建物構造体５の上端部に固定部材１と取付部材３と弾性部材３４と連結部材３５とを取り付ける施工方法と、折板屋根の取付構造Ａの作用を説明する。
先ず、図１に示す如く、折板屋根４の流れ方向とほぼ直交になされた２本の大梁に大梁用固定部材１１の開口部を嵌め込んで取り付ける。
次に、折板屋根４の流れ方向と平行になされた複数本の小梁に小梁用固定部材１２の開口部を嵌め込んで取り付ける。
【００３２】
次に、小梁用固定部材１２の上面に間隔（約２ｍ）を設けて２個の取付部材３の縦材３１の下端部を折板屋根４の流れ方向に上方に向けて溶接して取り付ける。
次に、取付部材３の横材３２の上面に弾性部材３４を接着して取り付ける。
次に、折板屋根４の山部４１を押圧して取付部材３の横材３２と弾性部材３４とに嵌合して、折板屋根４を建物構造体５の上端部の小梁用固定部材１２と取付部材３とに取り付ける。
【００３３】
このようにして、順次、折板屋根４を建物構造体５の上端部の小梁用固定部材１２と取付部材３とに取り付ける。
すると、折板屋根４の流れ方向と平行な長尺の小梁用固定部材１２が建物構造体５の上端部に取り付けられ、この小梁用固定部材１２の上面に２個の取付部材３が折板屋根４の流れ方向に間隔（約２ｍ）を設けて取り付けられ、この取付部材３の上部に折板屋根４の山部４１が嵌合により取り付けられた折板屋根の取付構造Ａであって、２個の取付部材３が連結部材３５で連結されているから、折板屋根４の山部４１を取付部材３の上部に嵌合して、２個の取付部材３がしっかりと連結部材３５で連結し、係止することができ、折板屋根４の山部４１を取付部材３の上部に嵌合し、折板屋根４の上を歩行しても、取付部材３が振れて、歩行感が悪くなるということはない。
【００３４】
又、折板屋根４の山部４１が取付部材３の上部に嵌合により取り付けられ、取付部材３の上部と折板屋根４の山部４１との間に両者に密着して弾性部材３４が設けられているから、折板屋根４の山部４１が取付部材３の上部に嵌合によって、折板屋根４と取付部材３とのがたつきを無くすことができる。
【００３５】
次に、本発明の他の実施例を図６に基づいて説明する。
図６は２個の取付部材の相対する面に連結部材が折板屋根の流れ方向と平行に溶接されている状態を示す説明図である。
図６に示された実施例は、図２に示した一実施例の２個の取付部材を連結部材で連結する位置が異なるだけで、その他の構造及び作用については、ほとんど同様であり、構造及び作用についての説明は省略し、異なった部分の構造のみを説明する。
【００３６】
図６において、小梁用固定部材１２ａの上面に２個の取付部材３ａが折板屋根４の流れ方向に間隔（約２ｍ）を設けて上方に向けて取り付けられている。
取付部材３ａは、鋼製で、縦材３１ａと横材３２ａとからなる断面逆Ｌ字形体で、縦材３１ａの下端部が小梁用固定部材１２ａの上面に溶接され、ほぼ中央部には貫通孔３３ａが開けられている。
弾性部材３４ａはポリエチレン樹脂製の発泡体であり、横材３２ａの上面に設けられている。
【００３７】
連結部材３５ａは、鋼製の板状体で、小梁用固定部材１２ａに設けられた２個の取付部材３ａの相対する面の上端部に連結部材３５ａが折板屋根４の流れ方向と平行に溶接されて、間隔を設けた２個の取付部材３ａを連結している。
【００３８】
次に、本発明の別の実施例を図７に基づいて説明する。
図７は２個の取付部材の相対する面の上端部と下端部に斜めに連結部材が溶接されている状態を示す説明図である。
図７に示された実施例は、図２に示した一実施例の２個の取付部材を連結部材で連結する位置が異なるだけで、その他の構造及び作用については、ほとんど同様であり、構造及び作用についての説明は省略し、異なった部分の構造のみを説明する。
【００３９】
図７において、小梁用固定部材１２ｂの上面に２個の取付部材３ｂが折板屋根４の流れ方向に間隔（約２ｍ）を設けて上方に向けて取り付けられている。
取付部材３ｂは、鋼製で、縦材３１ｂと横材３２ｂとからなる断面逆Ｌ字形体で、縦材３１ｂの下端部が小梁用固定部材１２ｂの上面に溶接され、ほぼ中央部には貫通孔３３ｂが開けられている。
弾性部材３４ｂはポリエチレン樹脂製の発泡体であり、横材３２ｂの上面に設けられている。
【００４０】
連結部材３５ｂは、鋼製の板状体で、小梁用固定部材１２ｂに設けられた２個の取付部材３ｂの相対する面の上端部と下端部に斜めに連結部材ｂが溶接されて、間隔を設けた２個の取付部材３ｂを連結している。
【００４１】
次に、本発明の別の実施例を図４及び図５に基づいて説明する。
図４は、折板屋根の隣接した山部に固定金具が取り付けられ、固定金具に梁が取り付けられている状態を示す説明図、図５は折板屋根の上にバルコニーフレームが敷設されている状態を示す説明図である。
【００４２】
図４において、固定金具６は、鋼製で、折板屋根の隣接する２つの山部に取り付けられている。
固定金具６は、縦材６１と、横材６２と、２個の嵌合部材６３とからなり、縦材６１が横材６２のほぼ中央部の内側側壁面に横材６２とほぼ直交に溶接して、取り付けられている。
縦材６１のほぼ中央部には、２個の取付孔６４が設けられている。
【００４３】
横材６２の両端部の下面には、嵌合部材６３が取り付けられている。
嵌合部材６３は、下方に開口部を持ったＣ字形体で、折板屋根４の山部４１に嵌め込むことができる大きさになされている。
梁７は、鋼製の中空体（幅７５ｍｍ、高さ１２５ｍｍ、厚み３．２ｍｍ、長さ約２ｍ）で、両端面には２個づつの取付孔（図示省略）が開けられている。
梁７の下部は、折板屋根４の山部４１より低い位置にまで延在し、かつ、折板屋根４には接しない状態となっている。
【００４４】
固定金具６の嵌合部材６３が、折板屋根４の一方の端部で隣接する２つの山部４１に嵌め込まれ、バルコニーフレームの隣接する大梁８同士の間隔を設けて、折板屋根４の他方で隣接する２つの山部４１に嵌め込まれている。
一方の固定金具６の縦材６１の内側面が梁７の一方の端面に、他方の固定金具６の縦材６１の内側面が梁７の他方の端面にボルト締めで取り付けられている。
折板屋根４の端部では、梁７の内側面にバルコニーフレームの大梁８が、折板屋根４の中央部では、梁７の両側面にバルコニーフレームの大梁８がそれぞれボルト・ナットで締め付けられている。
【００４５】
次に、折板屋根に固定金具を取り付け、固定金具に梁を取り付け、梁にバルコニーフレームを取り付ける施工方法と、折板屋根へのバルコニーの取付構造の作用を説明する。
先ず、図４に示す如く、固定金具６の嵌合部材６３を折板屋根４の一方の端部で隣接する２つの山部４１に嵌め込んで、折板屋根４に固定金具６を取り付ける。
次に、バルコニーフレームの隣接する大梁８同士の間隔を設けて、折板屋根４の他方で隣接する２つの山部４１に固定金具６の嵌合部材６３を嵌め込んで、折板屋根４に固定金具６を取り付ける。
【００４６】
次に、一方の固定金具６の縦材６１の内側面を梁７の一方の端面に、他方の固定金具６の縦材６１の内側面を梁７の他方の端面にボルト締めでそれぞれ取り付ける。
次に、折板屋根４の端部では、梁７の内側面にバルコニーの床フレームの大梁８を、折板屋根４の中央部では、梁７の両側面にバルコニーの床フレームの大梁８をそれぞれボルト・ナットで締め付けて、梁７にバルコニーの床フレームの大梁８を取り付ける。
次に、バルコニーの床フレームにバルコニーの側壁フレームを取り付けて、折板屋根４の上にバルコニーを取り付ける。
【００４７】
このようにすると、折板屋根４の複数の山部４１に嵌合して固定金具６が折板屋根４の流れ方向に間隔を設けて複数取り付けられ、この固定金具６に架け渡されて梁７が取り付けられ、この梁７にバルコニーフレームが取り付けられているから、固定金具を介して、折板屋根の上部にバルコニーフレームを簡単に取り付けることができる。
【００４８】
又、梁７の下部は、折板屋根４の山部４１より低い位置にまで延在し、かつ、折板屋根４に接しない状態とされているから、梁７の高さが大きく確保され、梁７の剛性が大きい。
従って、剛性が大きい梁７でしっかりとバルコニーフレームを支持することができる。
【００４９】
以上、本発明実施例を図面に基づいて説明してきたが、具体的な構成はこの実施例の限られるものではなく本発明の要旨を逸脱しない範囲の設計変更等があっても本発明に含まれる。例えば、他の実施例において、固定金具６は、縦材６１を横材６２のほぼ中央部の内側側壁面に横材６２とほぼ直交に溶接して取り付けて作られているが、横材６２の上にＬ字形のアングルを溶接して取り付け、Ｌ字形のアングルの縦材を縦材６１としてもよい。
【００５０】
【発明の効果】
以上、説明してきたように、請求項１記載の本発明では、折板屋根の流れ方向と平行な長尺の固定部材が建物構造体の上端部に取り付けられ、この固定部材の上面に複数の取付部材が折板屋根の流れ方向に間隔を設けて取り付けられ、この取付部材の上部に折板屋根の山部が嵌合により取り付けられた折板屋根の取付構造であって、複数の取付部材が連結部材で連結されているから、折板屋根の山部を取付部材の上部に嵌合して、複数の取付部材がしっかりと連結部材で連結し、係止することができ、折板屋根の山部を取付部材の上部に嵌合し、折板屋根の上に設けられたバルコニー上を歩行しても、取付部材が振れて、歩行感が悪くなるということはない。
【００５１】
請求項２記載の本発明では、折板屋根の山部が取付部材の上部に嵌合により取り付けられ、取付部材の上部と折板屋根の山部との間に両者に密着して弾性部材が設けられているから、折板屋根の山部が取付部材の上部に嵌合によって、折板屋根と取付部材とのがたつきをなくすことができる。
【００５２】
請求項３記載の本発明では、折板屋根の複数の山部に嵌合して固定金具が折板屋根の流れ方向に間隔を設けて複数取り付けられ、この固定金具に架け渡されて梁が取り付けられ、この梁にバルコニーフレームが取り付けられているから、固定金具を介して、折板屋根の上部にバルコニーフレームを簡単に取り付けることができる。
【００５３】
又、梁の下部は、折板屋根の山部より低い位置にまで延在し、かつ、折板屋根に接しない状態とされているから、梁の高さが大きく確保され、梁の剛性が大きい。
従って、剛性が大きい梁でしっかりとバルコニーフレームを支持することができる。そのため、固定金具を数カ所設けたり、折板屋根の厚みを厚くして剛性のある折板屋根を使ったりして、取付の手間と工数がかかったりすることがなく、折板屋根がコストアップすることがない。
【図面の簡単な説明】
【図１】建物構造体の大梁と小梁とに長尺の固定部材が取り付けられ、小梁の固定部材に２個の取付部材と連結部材と弾性部材とが取り付けられている状態を示す説明図である。
【図２】図１の要部Ｘ部の拡大説明図である。
【図３】隣接する取付部材の上部に折板屋根の山部が嵌合され取り付けられた状態を示す説明図である。
【図４】折板屋根の隣接した山部に固定金具が取り付けられ、固定金具に梁が取り付けられている状態を示す説明図である。
【図５】折板屋根の上にバルコニーフレームが敷設されている状態を示す説明図である。
【図６】２個の取付部材の相対する面に連結部材が折板屋根の流れ方向と平行に溶接されている状態を示す説明図である。
【図７】２個の取付部材の相対する面の上端部と下端部に斜めに連結部材が溶接されている状態を示す説明図である。
【符号の説明】
１                固定部材
１１              大梁用固定部材
１２              小梁用固定部材
３                取付部材
３１              縦材
３２              横材
３３              貫通孔
３４              弾性部材
３５              連結部材
４                折板屋根
４１              山部
４２              谷部
５                建物構造体
６                固定金具
６１              縦材
６２              横材
６３              嵌合部材
６４              取付孔
７                梁
８                大梁
【図１】
0003962160.tif 000002
【図２】
0003962160.tif 000003
【図３】
0003962160.tif 000004
【図４】
0003962160.tif 000005
【図５】
0003962160.tif 000006
【図６】
0003962160.tif 000007
【図７】
0003962160.tif 000008